(57)【要約】【課題】本発明は、例えば、カートン類の開閉部等に貼着されて使用されているガムテープや透明テープ等のテープ類の切開をはじめ、梱包の際に使用されている紐類の切断、更には牛乳パック等のようなカートン類の開梱に好適な開梱用切開具を提供する。【解決手段】本発明の開梱用切開具は、切開具本体３と、この切開具本体３により、刃部８が使用可能な状態となるまで切開具本体３内に没入する位置と、切開具本体３から突出する位置とに亙ってスライド可能に支持され、バネ力で突出する方向に付勢されるとともに、突出端に９０度の角度をもって拡開したガイド溝５を設けたスライドガイド体６と、切開具本体３により、スライドガイド体６が切開具本体６内に没入する位置に至った際に刃部８を露出する状態で固定支持された刃体７と、前記刃体７の刃部８を視認可能な凹部を有し、前記スライドガイド体６の両側面を覆う状態で切開具本体３に装着したカバー体とを有するものである。【選択図】図３
2004018002.tif 000002
【特許請求の範囲】
【請求項１】
切開具本体と、
この切開具本体により、切開具本体内に略没入する位置と、切開具本体から突出する位置とに亙ってスライド可能に支持されたスライドガイド体と、
前記切開具本体により、前記スライドガイド体が切開具本体内に略没入する位置に至った際に刃部を露出する状態で固定支持された刃体と、
を有することを特徴とする開梱用切開具。
【請求項２】
切開具本体と、
この切開具本体により、切開具本体内に略没入する位置と、切開具本体から突出する位置とに亙ってスライド可能に支持され、バネ力で突出する方向に付勢されるとともに、突出端に９０度の角度をもって拡開したガイド溝を設けたスライドガイド体と、
前記切開具本体により、前記スライドガイド体が切開具本体内に略没入する位置に至った際に刃部を露出する状態で固定支持された刃体と、
前記刃体の刃部を視認可能な凹部を有し、前記スライドガイド体の表裏両側を覆う状態で切開具本体に装着した表裏一対のカバー体と、
を有することを特徴とする開梱用切開具。
【請求項３】
前記切開具本体は、把持部を備えたものである請求項１又は２記載の開梱用切開具。
【請求項４】
前記スライドガイド体は、透明材からなるものである請求項１又は２記載の開梱用切開具。
【発明の詳細な説明】
【発明の属する技術分野】
本発明は、開梱用切開具に関し、詳しくは、例えば、カートン類の開閉部等に貼着されて使用されているガムテープや透明テープ等のテープ類の切開をはじめ、梱包の際に使用されている紐類の切断、更には牛乳パック等のようなカートン類の開梱に好適な開梱用切開具に関する。
【従来の技術】
従来、各種カートン類を開梱するための切開具（カッター）が種々提案されている。
例えば、山形定規と刃部とを組み合わせた種態の構造のもの（特開２０００−３２２６１５号、実開平５−４４４９１号）、保持部と当部とを山形状に形成し、当該当部に刃部を取り付けた種態の構造のもの（特開２０００−６１１７８号、実開平６−３６５７８号）、刃部の一端側に握り部材を備え、刃部には切先を隠しガイドも兼ねる抜け止め部材を付加した種態の構造のもの（特開２０００−２２９１８２号、実開昭５１−１４６１７４号）等が知られている。
【発明が解決しようとする課題】
しかしながら、上記従来技術はいずれも刃部の刃先が露出しており、取り扱い方の如何によっては指先等が刃先に触れて傷ついてしまうという危険性を包含していた。
本発明は、上記従来の事情に鑑み開発されたものであり、不使用時には刃部の刃先が露出することなく、使用時には簡略な操作で刃部の刃先を露出させて被切開物の切開を行うことができる安全性、操作性に優れた開梱用切開具を提供することを目的とする。
【課題を解決するための手段】
上記課題を解決するために、請求項１記載の発明の開梱用切開具は、切開具本体と、この切開具本体により、切開具本体内に略没入する位置と、切開具本体から突出する位置とに亙ってスライド可能に支持されたスライドガイド体と、前記切開具本体により、前記スライドガイド体が切開具本体内に略没入する位置に至った際に刃部を露出する状態で固定支持された刃体と、を有することを特徴とするものである。
この発明によれば、開梱用切開具の不使用時には刃部の刃先が露出することなく、使用時には簡略な操作で刃部の刃先を露出させて被切開物の切開を行うことができ、安全性、操作性に優れた開梱用切開具を提供することができる。
請求項２記載の発明の開梱用切開具は、切開具本体と、この切開具本体により、切開具本体内に略没入する位置と、切開具本体から突出する位置とに亙ってスライド可能に支持され、バネ力で突出する方向に付勢されるとともに、突出端に９０度の角度をもって拡開したガイド溝を設けたスライドガイド体と、前記切開具本体により、前記スライドガイド体が切開具本体内に略没入する位置に至った際に刃部を露出する状態で固定支持された刃体と、前記刃体の刃部を視認可能な凹部を有し、前記スライドガイド体の表裏両側を覆う状態で切開具本体に装着した表裏一対のカバー体と、を有することを特徴とするものである。
この発明によれば、請求項１記載の発明の作用に加え、ガイド溝により切開具本体を被切開物の角部に沿って確実に移動させることができ、角部の開梱を簡略、且つ、確実に行うことが可能となる。そして、前記スライドガイド体を更に押し付けて、スライドガイド体を切開具本体内に略没入すると、ガイド溝も没入することになるので、刃部でもって平面状態の切開を行なうことができる。
請求項３記載の発明の開梱用切開具は、請求項１又は２記載の開梱用切開具における前記切開具本体が、把持部を備えたものである。
この発明によれば、請求項１又は２記載の発明の作用に加え、この開梱用切開具の使用が容易となる。
請求項４記載の発明の開梱用切開具は、請求項１又は２記載の開梱用切開具における前記スライドガイド体が、透明材からなるものである。
この発明によれば、スライドガイド体を透明材で形成しながら請求項１又は２記載の発明の作用を発揮できる。
【発明の実施の形態】
以下に本発明の実施の形態について詳細に説明する。
図１は本発明の実施の形態の開梱用切開具１を示す斜視図、図２は本実施の形態の開梱用切開具１の側面図である。
この開梱用切開具１は、把持部２を備えた切開具本体３と、この切開具本体３により、切開具本体３内に略没入する位置と、切開具本体３から突出する位置とに亙ってスライド可能に支持され、切開具本体３内に内蔵したコイルバネ４のバネ力で突出する方向に付勢されるとともに、突出端に図２に示すように９０度の角度をもって拡開したガイド溝５を設けた透明樹脂材料からなる透明スライドガイド体６と、前記切開具本体３により、前記透明スライドガイド体６が前記切開具本体３内に略没入する位置に至った際に刃部８を露出する状態で固定支持された刃体７とを有している。
更に、前記開梱用切開具１は、前記刃体７の刃部８を視認可能な凹部９ａを有し、前記透明スライドガイド体６の表裏両側を覆う状態で切開具本体３の表裏両側に各々装着した表裏一対のカバー体９を具備している。
前記切開具本体３は、例えばエラストマー等の柔軟な樹脂材料により、透明スライドガイド体６を収容する側が略円形状で、把持部２側が略円形状部分から徐々に小寸法になり端部が半円状となる形状に形成されている。
また、把持部２には孔部２ａが穿設され、例えば吊り下げ用の紐等を通すための便宜を図っている。更にまた、把持部２には例えば三日月形状の穴２ｂが形成されている。
ここで、前記刃体７及び透明スライドガイド体６の詳細構造の詳細を図３を参照して説明する。
図３は一方のカバー体９を取り外した状態の切開具本体３の内部構造を示すものであり、切開具本体３内には、下方が開口した透明スライドガイド体６用の収容空間部１１が形成され、この収容空間部１１内に、略門型形状を呈し下方が開口した透明スライドガイド体６が切開具本体３内に略没入する位置（図３のｂ）と、切開具本体３から突出する位置（図３のａ）とに亙ってスライド可能に支持されている。
そして、前記収容空間部１１の上部に設けたバネ受け凹部１２内にコイルバネ４を配置し、該コイルバネ４のバネ力で透明スライドガイド体６を常時突出する方向（図３において下方向）に付勢している。
また、透明スライドガイド体６は図示しないストッパにより収容空間部１１から離脱しないように構成している。
前記刃体７は、下部側に刃部（カッター刃）８を備え、前記切開具本体３によって、前記透明スライドガイド体６が前記切開具本体３内に略没入する位置（図３のｂ）に至った際に刃部８を露出する状態で固定支持されている。刃部８の刃先は把持部２側に向けられていて、これにより、図３（ｂ）に示すように、前記把持部２を指等で持ち矢印Ｘ方向に操作することで刃部８が被切開物２０を切開するようになっている。
なお、刃部（カッター刃）８を備えた刃体７は、切開具本体３の内部（材）にネジ止め部２４をもって着脱可能（取り替え可能）に装着されているとともに、刃体７は、二層構造でもって刃部８を二層内部に挟持している。刃部８は、刃体７の内方に向かって設けた小突起２５に刃部８の孔を装着することで取り替え自在となっている。
以上のように構成した開梱用切開具１には、前記透明スライドガイド体６が不用意に上昇して刃部８が不用意に表出しないようにするために、例えば図６に示すようなストッパ１５を具備するように構成しても良い。
図６（ａ）はストッパ１５をかけない状態の説明図であり、図６（ｂ）はストッパ１５をかけた状態の説明図である。
図示するストッパ１５は、前記切開具本体３の周囲の側面に表出し図中の矢印の方向に移動自在とした小片１６と、この小片１６に一体形成されて小片１６の移動に伴って切開具本体３内で移動するストッパ本体１７とからなるものである。ストッパ本体１７は、細長状の上片１８、下片１９とからなる。
前記小片１６を下方に移動した時（図６のｂ）、下片１９の先端部分が前記透明スライドガイド体６の側面に設けた孔２３内に嵌入して、当該透明スライドガイド体６は上昇動不可となり、その結果、刃部（カッター刃）８が不用意に表出するようなことがなくなる。また、小片１６を上方に移動（図６のａ）すると透明スライドガイド体６は上昇動可となる。なお、切開具本体３の内壁に設けた小凹部２１に嵌合する小突起２２を上辺１８に設けるようにすると、ストッパ体１７自体の不用意な動きを安全に係止させておくことができる。
次に、本実施の形態の開梱用切開具１の作用を説明する。
図４は開梱用切開具１により例えばカートン類の開閉部等に貼着されて使用されているガムテープや透明テープ等のテープ類の切開をはじめとする被切開物２０の上面の例えば平坦部分を開梱する状態を示すものである。
この場合には、開梱用切開具１の把持部２を指等で持ち、切開具本体３を被切開物２０の上面に押し付ける。これにより、透明スライドガイド体６の突出端が被切開物２０の上面に接触し、前記コイルバネ４のバネ力に抗して透明スライドガイド体６が上方にスライドして、前記刃部８が被切開物２０内に進入し、この状態で図４に示す矢印Ｘ方向に切開具本体３を移動させることで、刃部８が被切開物２０の上面の肉厚部を切開する。
このようにして、開梱用切開具１の不使用時には刃部８の刃先が露出することなく、使用時には簡略な操作で刃部８の刃先を露出させて被切開物２０の切開を行うことができ、安全性、操作性に優れた開梱用切開具１を提供することができる。
なお、梱包の際に使用されている紐類の切断に際しては、例えば、透明スライドガイド体６の切開具本体３への没入状態を使用者が調節しながら、刃部８の刃先を紐切断に必要なだけ露出させるような状態でもって、安全に紐類を切断することができる。
図５は開梱用切開具１により例えば牛乳パック３０の角部を開梱する状態を示すものである。
この場合にも、図４に示す場合と同様にして図５に示す矢印Ｙ方向に切開具本体３を移動させるという簡略な操作で、刃部８の刃先を露出させて牛乳パック３０の角部の切開を行うことができ、且つ、透明スライドガイド体６の突出端に設けた９０度の角度を有するガイド溝５により切開具本体３を牛乳パック３０の角部に沿って確実に移動させることができ、牛乳パック３０の角部の開梱を簡略、且つ、確実に行うことが可能となる。
【発明の効果】
本発明によれば、開梱用切開具の不使用時には刃部の刃先が露出することなく、使用時には簡略な操作で刃部の刃先を露出させて被切開物の切開を行うことができ、安全性、操作性に優れた開梱用切開具を提供することができる。
また、本発明によれば、スライドガイド体に設けた９０度の角度を有するガイド溝により切開具本体を被切開物の角部に沿って確実に移動させることができ、角部の開梱を簡略、且つ、確実に行うことが可能な開梱用切開具を提供することができる。
【図面の簡単な説明】
【図１】本実施の形態の開梱用切開具を示す斜視図である。
【図２】本実施の形態の開梱用切開具の側面図である。
【図３】本実施の形態の開梱用切開具における一方のカバー体を取り外した状態の切開具本体の内部構造を示す説明図であり、（ａ）は透明スライドガイド体６が切開具本体３から突出している状態の説明図、（ｂ）は透明スライドガイド体６が切開具本体３内に没入する状態の説明図である。
【図４】本実施の形態の開梱用切開具により被切開物の上面の平坦部分を開梱する状態を示す部分斜視図である。
【図５】本実施の形態の開梱用切開具により牛乳パックの角部を開梱する状態を示す斜視図である。
【図６】本実施の形態の開梱用切開具における一方のカバー体を取り外した状態の切開具本体の内部構造を示す説明図であり、（ａ）はストッパをかけない状態の説明図、（ｂ）はストッパをかけた状態の説明図である。
【符号の説明】
１　　開梱用切開具
２　　把持部
２ａ　孔部
２ｂ　穴
３　　切開具本体
４　　コイルバネ
５　　ガイド溝
６　　透明スライドガイド体
７　　刃体
８　　刃部
９　　カバー体
９ａ　凹部
１１　　収容空間部
１２　　凹部
１５　　ストッパ
１６　　小片
１７　　ストッパ本体
１８　　上片
１９　　下片
２０　　被切開物
２１　　小凹部
２２　　小突起
２３　　孔
３０　　牛乳パック
【図１】
2004018002.tif 000003
【図２】
2004018002.tif 000004
【図３】
2004018002.tif 000005
【図４】
2004018002.tif 000006
【図５】
2004018002.tif 000007
【図６】
2004018002.tif 000008
【手続補正書】
【提出日】平成14年12月6日(2002.12.6)
【手続補正１】
【補正対象書類名】明細書
【補正対象項目名】特許請求の範囲
【補正方法】変更
【補正の内容】
【特許請求の範囲】
【請求項１】
切開具本体と、
この切開具本体により、刃部が使用可能な状態となるまで切開具本体内に没入する位置と、切開具本体から突出する位置とに亙ってスライド可能に支持されたスライドガイド体と、
前記切開具本体により、前記スライドガイド体が切開具本体内に没入する位置に至った際に刃部を露出する状態で固定支持された刃体と、
を有することを特徴とする開梱用切開具。
【請求項２】
切開具本体と、
この切開具本体により、刃部が使用可能な状態となるまで切開具本体内に没入する位置と、切開具本体から突出する位置とに亙ってスライド可能に支持されて、バネ力で突出する方向に付勢されるとともに、突出端に９０度の角度をもって拡開したガイド溝を設けたスライドガイド体と、
前記切開具本体により、前記スライドガイド体が切開具本体内に没入する位置に至った際に刃部を露出する状態で固定支持された刃体と、
前記刃体の刃部を視認可能な凹部を有し、前記スライドガイド体の両側面を覆う状態で切開具本体に装着したカバー体と、
を有することを特徴とする開梱用切開具。
【請求項３】
前記切開具本体は、把持部を備えたものである請求項１又は２記載の開梱用切開具。
【請求項４】
前記スライドガイド体は、透明材からなるものである請求項１又は２記載の開梱用切開具。
【手続補正２】
【補正対象書類名】明細書
【補正対象項目名】発明の詳細な説明
【補正方法】変更
【補正の内容】
【発明の詳細な説明】
【発明の属する技術分野】
本発明は、開梱用切開具に関し、詳しくは、例えば、カートン類の開閉部等に貼着されて使用されているガムテープや透明テープ等のテープ類の切開をはじめ、梱包の際に使用されている紐類の切断、更には牛乳パック等のようなカートン類の開梱に好適な開梱用切開具に関する。
【従来の技術】
従来、各種カートン類を開梱するための切開具（カッター）が種々提案されている。
例えば、山形定規と刃部とを組み合わせた種態の構造のもの（特開２０００−３２２６１５号、実開平５−４４４９１号）、保持部と当部とを山形状に形成し、当該当部に刃部を取り付けた種態の構造のもの（特開２０００−６１１７８号、実開平６−３６５７８号）、刃部の一端側に握り部材を備え、刃部には切先を隠しガイドも兼ねる抜け止め部材を付加した種態の構造のもの（特開２０００−２２９１８２号、実開昭５１−１４６１７４号）等が知られている。
【発明が解決しようとする課題】
しかしながら、上記従来技術はいずれも刃部の刃先が露出しており、取り扱い方の如何によっては指先等が刃先に触れて傷ついてしまうという危険性を包含していた。
本発明は、上記従来の事情に鑑み開発されたものであり、不使用時には刃部の刃先が露出することなく、使用時には簡略な操作で刃部の刃先を露出させて被切開物の切開を行うことができる安全性、操作性に優れた開梱用切開具を提供することを目的とする。
【課題を解決するための手段】
上記課題を解決するために、請求項１記載の発明の開梱用切開具は、切開具本体と、この切開具本体により、刃部が使用可能な状態となるまで切開具本体内に没入する位置と、切開具本体から突出する位置とに亙ってスライド可能に支持されたスライドガイド体と、前記切開具本体により、前記スライドガイド体が切開具本体内に没入する位置に至った際に刃部を露出する状態で固定支持された刃体と、を有することを特徴とするものである。
この発明によれば、開梱用切開具の不使用時には刃部の刃先が露出することなく、使用時には簡略な操作で刃部の刃先を露出させて被切開物の切開を行うことができ、安全性、操作性に優れた開梱用切開具を提供することができる。
請求項２記載の発明の開梱用切開具は、切開具本体と、この切開具本体により、刃部が使用可能な状態となるまで切開具本体内に没入する位置と、切開具本体から突出する位置とに亙ってスライド可能に支持されて、バネ力で突出する方向に付勢されるとともに、突出端に９０度の角度をもって拡開したガイド溝を設けたスライドガイド体と、前記切開具本体により、前記スライドガイド体が切開具本体内に没入する位置に至った際に刃部を露出する状態で固定支持された刃体と、前記刃体の刃部を視認可能な凹部を有し、前記スライドガイド体の両側面を覆う状態で切開具本体に装着したカバー体と、を有することを特徴とするものである。
この発明によれば、請求項１記載の発明の作用に加え、ガイド溝により切開具本体を被切開物の角部に沿って確実に移動させることができ、角部の開梱を簡略、且つ、確実に行うことが可能となる。そして、前記スライドガイド体を更に押し付けて、スライドガイド体を刃部が使用可能な状態となるまで切開具本体内に没入すると、ガイド溝も没入することになるので、刃部でもって平面状態の切開を行なうことができる。
請求項３記載の発明の開梱用切開具は、請求項１又は２記載の開梱用切開具における前記切開具本体が、把持部を備えたものである。
この発明によれば、請求項１又は２記載の発明の作用に加え、この開梱用切開具の使用が容易となる。
請求項４記載の発明の開梱用切開具は、請求項１又は２記載の開梱用切開具における前記スライドガイド体が、透明材からなるものである。
この発明によれば、スライドガイド体を透明材で形成しながら請求項１又は２記載の発明の作用を発揮できる。
【発明の実施の形態】
以下に本発明の実施の形態について詳細に説明する。
図１は本発明の実施の形態の開梱用切開具１を示す斜視図、図２は本実施の形態の開梱用切開具１の側面図である。
この開梱用切開具１は、把持部２を備えた切開具本体３と、この切開具本体３により、後記刃部８が使用可能な状態となるまで切開具本体３内に没入する位置と、切開具本体３から突出する位置とに亙ってスライド可能に支持され、切開具本体３内に内蔵したコイルバネ４のバネ力で突出する方向に付勢されるとともに、突出端に図２に示すように９０度の角度をもって拡開したガイド溝５を設けた透明樹脂材料からなる透明スライドガイド体６と、前記切開具本体３により、前記透明スライドガイド体６が前記切開具本体３内に没入する位置に至った際に刃部８を露出する状態で固定支持された刃体７とを有している。
なお、前記刃部８が使用可能な状態となるまで切開具本体３内に没入する位置とは、換言すれば、刃部８がガイド溝５に表出状態となる位置ともいうことができる。
更に、前記開梱用切開具１は、前記刃体７の刃部８を視認可能な凹部９ａを有し、前記透明スライドガイド体６の両側面を覆う状態で切開具本体３の両側面に各々装着したカバー体９を具備している。
前記切開具本体３は、例えばエラストマー等の柔軟な樹脂材料により、透明スライドガイド体６を収容する側が略円形状で、把持部２側が略円形状部分から徐々に小寸法になり端部が半円状となる形状に形成されている。
また、把持部２には孔部２ａが穿設され、例えば吊り下げ用の紐等を通すための便宜を図っている。更にまた、把持部２には例えば三日月形状の穴２ｂが形成されている。
ここで、前記刃体７及び透明スライドガイド体６の詳細構造の詳細を図３を参照して説明する。
図３は一方のカバー体９を取り外した状態の切開具本体３の内部構造を示すものであり、切開具本体３内には、下方が開口した透明スライドガイド体６用の収容空間部１１が形成され、この収容空間部１１内に、略門型形状を呈し下方が開口した透明スライドガイド体６が、刃部８が使用可能な状態となるまで切開具本体３内に没入する位置（図３のｂ）と、切開具本体３から突出する位置（図３のａ）とに亙ってスライド可能に支持されている。
そして、前記収容空間部１１の上部に設けたバネ受け凹部１２内にコイルバネ４を配置し、該コイルバネ４のバネ力で透明スライドガイド体６を常時突出する方向（図３において下方向）に付勢している。
また、透明スライドガイド体６は図示しないストッパにより収容空間部１１から離脱しないように構成している。
前記刃体７は、下部側に刃部（カッター刃）８を備え、前記切開具本体３によって、前記透明スライドガイド体６が、、刃部８が使用可能な状態となるまで切開具本体３内に没入する位置（図３のｂ）に至った際に刃部８を露出する状態で固定支持されている。刃部８の刃先は把持部２側に向けられていて、これにより、図３（ｂ）に示すように、前記把持部２を指等で持ち矢印Ｘ方向に操作することで刃部８が被切開物２０を切開するようになっている。
なお、刃部（カッター刃）８を備えた刃体７は、切開具本体３の内部（材）にネジ止め部２４をもって着脱可能（取り替え可能）に装着されているとともに、刃体７は、二層構造でもって刃部８を二層内部に挟持している。刃部８は、刃体７の内方に向かって設けた小突起２５に刃部８の孔を装着することで取り替え自在となっている。
以上のように構成した開梱用切開具１には、前記透明スライドガイド体６が不用意に上昇して刃部８が不用意に表出しないようにするために、例えば図６に示すようなストッパ１５を具備するように構成しても良い。
図６（ａ）はストッパ１５をかけない状態の説明図であり、図６（ｂ）はストッパ１５をかけた状態の説明図である。
図示するストッパ１５は、前記切開具本体３の周囲の側面に表出し図中の矢印の方向に移動自在とした小片１６と、この小片１６に一体形成されて小片１６の移動に伴って切開具本体３内で移動するストッパ本体１７とからなるものである。ストッパ本体１７は、細長状の上片１８、下片１９とからなる。
前記小片１６を下方に移動した時（図６のｂ）、下片１９の先端部分が前記透明スライドガイド体６の側面に設けた孔２３内に嵌入して、当該透明スライドガイド体６は上昇動不可となり、その結果、刃部（カッター刃）８が不用意に表出するようなことがなくなる。また、小片１６を上方に移動（図６のａ）すると透明スライドガイド体６は上昇動可となる。なお、切開具本体３の内壁に設けた小凹部２１に嵌合する小突起２２を上辺１８に設けるようにすると、ストッパ体１７自体の不用意な動きを安全に係止させておくことができる。
次に、本実施の形態の開梱用切開具１の作用を説明する。
図４は開梱用切開具１により例えばカートン類の開閉部等に貼着されて使用されているガムテープや透明テープ等のテープ類の切開をはじめとする被切開物２０の上面の例えば平坦部分を開梱する状態を示すものである。
この場合には、開梱用切開具１の把持部２を指等で持ち、切開具本体３を被切開物２０の上面に押し付ける。これにより、透明スライドガイド体６の突出端が被切開物２０の上面に接触し、前記コイルバネ４のバネ力に抗して透明スライドガイド体６が上方にスライドして、前記刃部８が被切開物２０内に進入し、この状態で図４に示す矢印Ｘ方向に切開具本体３を移動させることで、刃部８が被切開物２０の上面の肉厚部を切開する。
このようにして、開梱用切開具１の不使用時には刃部８の刃先が露出することなく、使用時には簡略な操作で刃部８の刃先を露出させて被切開物２０の切開を行うことができ、安全性、操作性に優れた開梱用切開具１を提供することができる。
なお、梱包の際に使用されている紐類の切断に際しては、例えば、透明スライドガイド体６の切開具本体３への没入状態を使用者が調節しながら、刃部８の刃先を紐切断に必要なだけ露出させるような状態でもって、安全に紐類を切断することができる。
図５は開梱用切開具１により例えば牛乳パック３０の角部を開梱する状態を示すものである。
この場合にも、図４に示す場合と同様にして図５に示す矢印Ｙ方向に切開具本体３を移動させるという簡略な操作で、刃部８の刃先を露出させて牛乳パック３０の角部の切開を行うことができ、且つ、透明スライドガイド体６の突出端に設けた９０度の角度を有するガイド溝５により切開具本体３を牛乳パック３０の角部に沿って確実に移動させることができ、牛乳パック３０の角部の開梱を簡略、且つ、確実に行うことが可能となる。
【発明の効果】
本発明によれば、開梱用切開具の不使用時には刃部の刃先が露出することなく、使用時には簡略な操作で刃部の刃先を露出させて被切開物の切開を行うことができ、安全性、操作性に優れた開梱用切開具を提供することができる。
また、本発明によれば、スライドガイド体に設けた９０度の角度を有するガイド溝により切開具本体を被切開物の角部に沿って確実に移動させることができ、角部の開梱を簡略、且つ、確実に行うことが可能な開梱用切開具を提供することができる。




【手続補正書】
【提出日】平成15年3月10日(2003.3.10)
【手続補正１】
【補正対象書類名】明細書
【補正対象項目名】特許請求の範囲
【補正方法】変更
【補正の内容】
【特許請求の範囲】
【請求項１】
切開具本体と、
この切開具本体により、刃部が使用可能な状態となるまで切開具本体内に没入する位置と切開具本体から突出する位置とに亙ってスライド可能に支持されて、且つ、突出端に９０度の角度をもって拡開したガイド溝を設けたスライドガイド体と、
前記切開具本体により、不使用時には前記ガイド溝内に位置しているとともに、前記スライドガイド体が切開具本体内に没入する位置に至った際に刃部を露出する状態で固定支持された刃体と、
を有し、
前記スライドガイド体を切開具本体内にスライドさせ没入させるとともに前記ガイド溝を切開具本体内にスライドさせ没入させて、刃部を被切開物に当接させることをもって、角部の切開、平面部の切開を可能としたことを特徴とする開梱用切開具。
【請求項２】
切開具本体と、
この切開具本体により、刃部が使用可能な状態となるまで切開具本体内に没入する位置と切開具本体から突出する位置とに亙ってスライド可能に支持されて、バネ力で突出する方向に付勢されるとともに、突出端に９０度の角度をもって拡開したガイド溝を設けたスライドガイド体と、
前記切開具本体により、不使用時には前記ガイド溝内に位置しているとともに、前記スライドガイド体が切開具本体内に没入する位置に至った際に刃部を露出する状態で固定支持された刃体と、
前記刃体の刃部を視認可能な凹部を有し、前記スライドガイド体の両側面を覆う状態で切開具本体に装着したカバー体と、
を有し、
前記スライドガイド体を切開具本体内にスライドさせ没入させるとともに前記ガイド溝を切開具本体内にスライドさせ没入させて、刃部を被切開物に当接させることをもって、角部の切開、平面部の切開を可能としたことを特徴とする開梱用切開具。
【請求項３】
前記切開具本体は、把持部を備えたものである請求項１又は２記載の開梱用切開具。
【請求項４】
前記スライドガイド体は、透明材からなるものである請求項１又は２記載の開梱用切開具。